(57)【要約】【課題】多重化ストリームに多重化された字幕データの種類にかかわらず、字幕データを可能な限り提示可能な放送受信装置を提供する。【解決手段】デジタル放送受信装置は、デジタル番組サービス配信でＣＣ６０８及びＣＣ７０８のどちらか一つ若しくは両方の字幕データを重畳するストリームを受信し、前記字幕データの重畳された映像ストリームを含む多重化ストリームを受信し、多重化データストリームマルチプレクサ部と、映像データ展開部と、字幕データ抽出部と、ＣＣ６０８データ格納部と、ＣＣ７０８データ格納部と、ＣＣ６０８データ及びＣＣ７０８データを管理し有効な字幕データを判断する字幕データ管理メイン部と、字幕ＯＳＤ作成部と、映像データ複合化部と、ＯＳＤ合成部と、ＮＴＳＣエンコーダ部を備える。【選択図】図１
2006254022.tif 000002
【特許請求の範囲】
【請求項１】
デジタル番組サービス配信で字幕データの規格であるＣＣ６０８、およびＣＣ７０８のどちらか一つ、もしくは両方の字幕データを重畳するストリームを受信し、字幕を映像に合成して表示する機能を持つデジタル放送受信装置であって、
前記字幕データの重畳された映像ストリームを含む多重化ストリームを受信し、多重化データストリームからユーザが視聴中の映像データストリームを選択し抽出する多重化データストリームマルチプレクサ部と、
映像データストリームからユーザデータおよび映像データを抽出する映像データ展開部と、
ユーザデータから前記字幕データを抽出する字幕データ抽出部と、
ＣＣ６０８のデータを格納するＣＣ６０８データ格納部と、
ＣＣ７０８のデータを格納するＣＣ７０８データ格納部と、
ＣＣ６０８データおよびＣＣ７０８データを管理し有効な字幕データを判断する字幕データ管理メイン部と、
字幕データから字幕ＯＳＤを作成する字幕ＯＳＤ作成部と、
映像データを複合化する映像データ複合化部と、
前記映像複合化部で複合された映像と字幕ＯＳＤを合成するＯＳＤ合成部と、
前記映像複合化部で複合された映像をＮＴＳＣ信号に変換すると同時に字幕データを垂直帰線期間に重畳するＮＴＳＣエンコーダ部を備え、
有効な字幕データを判定して可能な限り字幕表示のサービスを行うことを特徴とするデジタル放送受信装置。
【発明の詳細な説明】
【技術分野】
【０００１】
本発明は、放送される２種の仕様による字幕を効率よく表示するデジタル放送受信機に関するものである。
【背景技術】
【０００２】
近年、放送局より様々な形式の複数の字幕データが送信されるようになってきた。例えば、北米では、アナログ放送で送信されている字幕データを単純にデジタル放送の映像ストリームの中に重畳するための仕様ＥＩＡ／ＣＥＡ−６０８−Ｂ（以後ＣＣ６０８と呼ぶ）と、字幕の文字情報だけでなく、フォントの色とサイズ等の情報も含んだ仕様ＥＩＡ−７０８Ｂ（以後ＣＣ７０８と呼ぶ）がＡＴＳＣ規格として採用されている。
【０００３】
図２は放送局より送信される字幕データの構成を示す図である。図２において、トランスポートストリームは、番組と映像ストリームの関係を示すＰＭＴ、番組情報を格納するＥＩＴ、音声ストリーム、および映像ストリーム等から構成される。映像ストリームは、字幕等の情報を含むユーザデータ、および映像データとしてのエレメンタリストリームデータから構成される。ユーザデータにはＣＣ７０８とＣＣ６０８のどちらか一方もしくは両方のデータから構成される。
【０００４】
従来のデジタル放送受信装置では、ＣＣ７０８はデジタル映像表示に出力され、ＣＣ６０８は外部映像出力端子（ＮＴＳＣ出力）にＮＴＳＣとして重畳されて出力される（例えば、特許文献１参照）。
【０００５】
図６は、放送される字幕データの組み合わせのケースを示す図であり、ケース１は、ＣＣ７０８とＣＣ６０８の両方のデータ、ケース２はＣＣ７０８のみのデータ、ケース３は、ＣＣ６０８のみのデータが放送されるケースとする。
【０００６】
図８は、従来例における放送される字幕データ組み合わせのケースとデジタル映像表示及び外部映像出力の関係を示している。放送局から送信される字幕データは、図３のようなケースがあるが、従来のデジタル放送受信装置では、ケース１の場合は、デジタル映像出力に字幕が提示され、外部映像出力の信号に字幕データが重畳されるが、ケース２では、外部出力の信号に字幕データが重畳されない。逆に、ケース３ではデジタル映像表示に字幕が提示されないという現象が生じる。
【特許文献１】米国特許第５８０１７８２号明細書
【発明の開示】
【発明が解決しようとする課題】
【０００７】
解決しようとする問題点は、現在のデジタル放送受信機の構成では、字幕データＣＣ７０８の字幕データはデジタル映像表示用、字幕データＣＣ６０８は外部映像出力用（ＮＴＳＣ信号）としているため、デジタル映像表示と外部映像出力に字幕の提示を行うためには、ＣＣ７０８およびＣＣ６０８の両方の字幕データが重畳されていることが条件であるが、実際、どちらか一方の字幕データのみが放送されているケースが多い。そのため、デジタル映像出力または外部映像出力のどちらか一方のサービスが停止することがある点である。
【課題を解決するための手段】
【０００８】
本発明は、ＣＣ７０８かＣＣ６０８のいずれか一方の字幕データが放送されている場合でも、字幕データを転用することにより、デジタル映像表示、および外部映像出力に字幕を提示させることを最も主要な特徴とする。
【発明の効果】
【０００９】
本発明のデジタル放送受信装置は、ＣＣ７０８かＣＣ６０８のいずれか一方の字幕データが放送されている場合でも、字幕データを転用することにより、デジタル映像表示、および外部映像出力に字幕を提示させることが可能で、前記のような字幕データの限られた条件でも、視聴者にできるだけ字幕サービスを提示できるという利点がある。
【発明を実施するための最良の形態】
【００１０】
限られた条件で字幕データを可能な限り提示するという目的を、最小の構成で実現した。
【００１１】
（実施の形態１）
図１は、本発明装置の実施の形態１を示すブロック図であって、１００は本発明のデジタル放送受信装置、１０１は多重化デマルプレクサ部、１０２は映像ストリーム展開部、１０３は字幕データ抽出部、１０４はＣＣ６０８データ格納部、１０５はＣＣ７０８データ格納部、１０６は映像データ復号化部、１０７は字幕データ管理メイン部、１０８は字幕ＯＳＤ作成部、１０９はＮＴＳＣエンコーダ部、１１０はＯＳＤ合成部である。本発明の主体は字幕データの管理にあるので、デジタル放送受信機に必要な、チューナ部、音声処理等の説明は省略する。
【００１２】
本実施の形態では特に、映像ストリームとしてＭＰＥＧ２（Ｍｏｖｉｎｇ  Ｐｉｃｔｕｒｅｓ  Ｅｘｐｅｒｔ  Ｇｒｏｕｐ  Ｐｈａｓｅ２）規格を使用し、字幕データ識別情報、および字幕データは、ＭＰＥＧ２規格のビデオシーケンスのユーザデータ領域に格納されているとする。
【００１３】
図２は、放送されるトランスポートストリームに含まれる字幕データの格納されている領域までの階層構造を示している。２０１はトランスポートストリーム、２０３は番組情報を含むＥＩＴ、２０４は音声ストリーム、２０５は映像ストリーム、２０６はユーザデータ、２０７は映像のＥＳデータ、２０８はＣＣ７０８仕様の字幕データ、２０９はＣＣ６０８仕様の字幕データ、２１１はＣＣ７０８と特定する識別コード１、２１２はヘッダ１、２１３は字幕の画面上の提示位置情報、２１４は字幕の文字種および色情報、２１５は字幕内容１、２１６はＣＣ６０８を識別する識別コード２、２１７はヘッダ２、２１８は字幕内容２である。
【００１４】
トランスポートストリーム２０１には、ＥＩＴ２０３、音声ストリーム２０４、映像ストリーム２０５等を多重化されている。映像ストリームにはユーザデータ、ＥＳデータ等が含まれる。ユーザデータ２０６にはＣＣ７０８仕様の字幕データ２０８、ＣＣ６０８仕様の字幕データ２０９が含まれる。ＣＣ７０８仕様の字幕データ２０８にはＣＣ７０８仕様であることを示す識別コード１（２１１）、ヘッダ１（２１２）、位置情報２１３、文字種情報２１４、字幕内容１（２１５）を含む。また、ＣＣ６０８仕様の字幕データは、ＣＣ６０８仕様であることを示す識別コード２（２１６）、ヘッダ２（２１７）、字幕内容２（２１８）を含む。
【００１５】
ここで、図３を用いて字幕データ蓄積までの処理手順を説明する。多重化ストリームデマルチプレクサ部１０１はトランスポートストリーム等の多重化ストリームからＭＰＥＧ２規格の映像ストリームを抽出する（Ｓ１０１）。映像ストリーム展開部１０２はＭＰＥＧ２規格の映像ストリームからユーザデータを抽出する（Ｓ１０２）。ＣＭ情報抽出部１０３は、ユーザデータ領域１０８の先頭にある、識別コード１（２１１）または識別コード２（２１６）を識別し（Ｓ１０３）、ＣＣ７０８仕様を示す識別コードであれば、それ以降のユーザデータから、次の識別コードが出現するまでのデータをＣＣ７０８仕様の字幕データとし、ＣＣ７０８データ格納部に前記字幕データを格納する。また、ＣＣ６０８仕様を示す識別コードであれば、それ以降のユーザデータから、次の識別コードが出現するまでのデータをＣＣ６０８仕様の字幕データとし、ＣＣ６０８データ格納部に前記字幕データを格納する。ユーザの操作等で、映像ストリームの処理が停止するまで続けられる。
【００１６】
次に、図４、図５を用いて字幕データ管理メイン部１０７以降の動作について説明する。
【００１７】
図４にデジタル映像表示の字幕データの処理のフローを示す。字幕データ管理メイン部１０７はＣＣ７０８データ格納部１０５に字幕データが存在する場合、ＣＣ７０８仕様にしたがい、字幕データから表示位置、文字種、スクロール有無、文字色等を認識し、字幕文字列を前記処理を行いＯＳＤを作成する（Ｓ２０３）。また、ＣＣ７０８データ格納部１０５にＣＣ７０８データが存在しないが、ＣＣ６０８データ格納部１０４に字幕データが存在する場合、ＣＣ６０８仕様の字幕データから文字列のデータおよび制御データを抽出し、ＣＣ６０８仕様にしたがいＯＳＤを作成する（Ｓ２０４）。Ｓ２０３およびＳ２０４により作成されたＯＳＤはデジタル映像に合成されてＴＶ画面に表示される。
【００１８】
図５に外部映像出力の字幕データの処理フローを示す。字幕データ管理メイン部１０７は、ＣＣ６０８データ格納部１０５に字幕データが存在する場合、字幕データをそのままＮＴＳＣエンコーダ部１０９に送る（Ｓ３０１）。また、ＣＣ６０８データ格納部１０４に字幕データは存在しないが、ＣＣ７０８データ格納部１０５に字幕データが存在する場合、ＣＣ７０８仕様の字幕データから、字幕文字列と制御データのみを抽出しＣＣ６０８仕様の字幕データを再構成し、ＮＴＳＣエンコーダ部１０９に送る（Ｓ３０３）。ＮＴＳＣエンコーダ部は映像データ復号化部１０６からの信号をＮＴＳＣ信号に変換し、ＣＣ６０８仕様にしたがい、ライン２１とライン２８４に字幕データを重畳する。結果のＮＴＳＣ信号は外部映像出力として出力される。
【００１９】
結果として、図７に示すように、放送でＣＣ７０８またはＣＣ６０８のいずれか一つの字幕データが放送されている場合、放送されていない字幕データを使用する出力側に、放送されている字幕データを転用することにより、字幕データの効率的な表示が可能になる。
【産業上の利用可能性】
【００２０】
複数種類の字幕データの少なくとも１つを放送するシステムにおいても利用可能である。
【図面の簡単な説明】
【００２１】
【図１】デジタル放送受信装置の実施方法を示したブロック図
【図２】字幕データを含むトランスポートストリームのデータ構造を示した説明図
【図３】デジタル放送受信装置の実施方法を示したフローチャート
【図４】デジタル放送受信装置の実施方法を示したフローチャート
【図５】デジタル放送受信装置の実施方法を示したフローチャート
【図６】放送される字幕データの組み合わせのケースを示した図
【図７】字幕データ種のケースと提示に使用する字幕データ種を示した図
【図８】従来の字幕データ種のケースと提示に使用する字幕データ種を示した図
【符号の説明】
【００２２】
１０１    多重化ストリームマルチプレクサ部
１０２    映像ストリーム展開部
１０３    字幕データ抽出部
１０４    ＣＣ６０８データ格納部
１０５    ＣＣ７０８データ格納部
１０６    映像データ復号化部
１０７    字幕データ管理メイン部
１０８    字幕ＯＳＤ作成部
１０９    ＮＴＳＣエンコーダ部
１１０    ＯＳＤ合成部
２０１    トランスポートストリーム
２０２    ＰＭＴ
２０３    ＥＩＴ
２０４    音声ストリーム
２０５    映像ストリーム
２０６    ユーザデータ
２０７    ＥＳデータ
２０８    ＣＣ７０８字幕データ
２０９    ＣＣ６０８字幕データ
２１１    識別コード１
２１２    ヘッダ１
２１３    位置情報
２１４    文字種情報
２１５    字幕内容１
２１６    識別コード２
２１７    ヘッダ２
【図１】
2006254022.tif 000003
【図２】
2006254022.tif 000004
【図３】
2006254022.tif 000005
【図４】
2006254022.tif 000006
【図５】
2006254022.tif 000007
【図６】
2006254022.tif 000008
【図７】
2006254022.tif 000009
【図８】
2006254022.tif 000010